(57)【要約】【課題】  接着面を広くとれて接着力を強くすることにより剥がれにくくて、強固な取り付けを可能とするバルーン及び医療用カテーテルを提供すること。【解決手段】  内外二重になった内側円筒状チューブ５及び外側円筒状チューブ６と、これら両円筒状チューブ間の円周方向の複数箇所において長手方向に向けて一体に設けられた区画片７とを具え、これら区画片により区画された複数の空間部が密閉状の流体収容部８に形成され、これら流体収容部に流体を充填することにより、各々独立して膨張が可能になっている。【選択図】        図１
2006026110.tif 000002
【特許請求の範囲】
【請求項１】
医療用カテーテルに用いられるバルーンであって、
内外二重になった内側円筒状チューブ及び外側円筒状チューブと、これら両円筒状チューブ間の円周方向の複数箇所において長手方向に向けて一体に設けられた区画片とを具え、これら区画片により区画された複数の空間部が密閉状の流体収容部に形成され、これら流体収容部に流体を充填することにより、各々独立して膨張が可能になっていることを特徴とするバルーン。
【請求項２】
区画片が、内側円筒状チューブ及び外側円筒状チューブと同材質で、かつほぼ同じ厚さのものからなっている請求項１記載のバルーン。
【請求項３】
請求項１又は２に記載のバルーンが、カテーテル本体の先端部に嵌挿されて内側筒状チューブの内面で全面接着により、装着されていることを特徴とする医療用カテーテル。
【発明の詳細な説明】
【技術分野】
【０００１】
この発明は、バルーン及び医療用カテーテルに関するものであって、特にカテーテル本体の先端部に取り付け易く、しかも剥がれにくくて強固な取り付けを可能とするバルーン等に係るものである。
【背景技術】
【０００２】
従来、医療用カテーテルに用いられるバルーンとして、例えば本出願人が先に提案したような分割・独立膨張バルーンが知られている（例えば、特許文献１参照）。
【０００３】
【特許文献１】特開２００３−２５０９００号公報
【０００４】
この特許文献１のバルーンは、図４に示すようにバルーン３１の内周面とカテーテル本体３２の外周面間を別体構成の区画片３３によって長手方向に接着区画し、該区画片により区画された複数の空間部を密閉状の流体収容部３４に形成するものである。しかし、このような区画片３３による接着では接着幅が限られた狭いものとなるので、接着力が弱く、バルーン３１を膨張させたときに区画片３３とカテーテル本体３２の外周面との接着部が剥がれ易いという問題があった。接着力を強くするために接着幅を広くとるということも考えられるが、この場合にはバルーン容量が小さくなり、バルーンのバーストが起こって実用化が困難であった。
【発明の開示】
【発明が解決しようとする課題】
【０００５】
そこでこの発明は、前記のような従来の問題点を解決し、接着面を広くとれて接着力を強くすることにより剥がれにくくて、強固な取り付けを可能とするバルーン及び医療用カテーテルを提供することを目的とする。
【課題を解決するための手段】
【０００６】
前記目的を達成するため、請求項１に記載の発明は、医療用カテーテルに用いられるバルーンであって、内外二重になった内側円筒状チューブ及び外側円筒状チューブと、これら両円筒状チューブ間の円周方向の複数箇所において長手方向に向けて一体に設けられた区画片とを具え、これら区画片により区画された複数の空間部が密閉状の流体収容部に形成され、これら流体収容部に流体を充填することにより、各々独立して膨張が可能になっていることを特徴とするバルーンである。
【０００７】
請求項２に記載の発明は、請求項１において、区画片が、内側円筒状チューブ及び外側円筒状チューブと同材質で、かつほぼ同じ厚さのものからなっていることを特徴とするバルーンである。
【０００８】
請求項３に記載の発明は、請求項１又は２に記載のバルーンが、カテーテル本体の先端部に嵌挿されて内側筒状チューブの内面で全面接着により、装着されていることを特徴とする医療用カテーテルである。
【発明の効果】
【０００９】
この発明は、前記のように内外二重になった内側円筒状チューブ及び外側円筒状チューブと、区画片とを一体に有し、内側円筒状チューブをカテーテル本体の先端部に嵌挿させてその内面で全面接着することが可能になっているので、接着面を従来のものより格段に広くとれて接着力を強くすることができ、これにより剥がれにくくて、強固な取り付けが可能となるという優れた効果がある。しかも、区画片は両円筒状チューブ間にあって、これらと一体に設けられているので、負荷によって剥離したり、簡単に外れるという恐れもない。
【発明を実施するための最良の形態】
【００１０】
この発明の一実施の形態を、添付図面を参照して説明する。
【００１１】
図１はバルーンの拡大縦断面図、図２は図１のバルーンがカテーテル本体の先端部に装着された状態の医療用カテーテルの要部斜視図、図３は図２の線Ａ−Ａに沿う拡大縦断面図である。１はバルーンで、全体が薄肉（例えば０．１〜１．０mm）のシリコーンゴムからなっており、図２に示すように所定の長さをもち、長さ方向の両端部にはカテーテル本体２の先端部外周面へ接着される接着部３，４が設けられている。この接着部３，４以外のバルーン１の縦断面を図１に示すように、バルーン１は内外二重になった内側円筒状チューブ５、外側円筒状チューブ６、及び両円筒状チューブ間の円周方向の複数箇所において長手方向に向けて一体に設けられた区画片７とからなっており、これら区画片７により区画された複数の空間部が密閉状の流体収容部８に形成されている。この実施の形態においては１８０度位相をずらして設けられた２つの区画片７によりほぼ同じ大きさの流体収容部８が２つ設けられている。内側円筒状チューブ５の内径はカテーテル本体２の先端部に嵌挿して装着可能な大きさに形成される。９はカテーテル本体２のメーンルーメンである。
【００１２】
区画片７は内側円筒状チューブ５及び外側円筒状チューブ６と同材質で、かつほぼ同じ厚さ（幅）のものからなっている。流体収容部８に流体を充填すると、該流体収容部８と対応する外側円筒状チューブ６の部分が各々独立して膨張が可能になっている。図２，３には図示省略したが、カテーテル本体２の周壁にはバルーンの流体収容部８の各々に流体を送るためのルーメンが形成され、またこのルーメンと連通する開口がバルーンの内側円筒状チューブ５に形成されている。
【００１３】
前記のようなバルーン１はチューブ押し出し成形により製造される。すなわち、通常、このような分割型バルーンの場合には薄肉のバルーンを部分的にカテーテル本体２に接着しているが、この発明の場合には押し出し成形によって分割型バルーンを製造する。押し出されたチューブは、図１に示す通りカテーテル本体２の外径と同じほぼ内径を有する中心孔と、その両側にバルーン用の孔をもつ３ルーメンチューブである。尚、製造については必ずしも前記押し出し成形で行う必要もなく、ほかに金型によるプレス成形、ディッピング成形等によってもよい。
【００１４】
前記のようなバルーン１を医療用カテーテルに装着するには、内側円筒状チューブ５の内周面にシリコーン接着剤を塗布したうえ、このシリコーン接着剤が塗布されたバルーン１をカテーテル本体２の先端から嵌挿し、先端部の所定箇所に達したところで内側円筒状チューブ５の塗布済シリコーン接着剤をカテーテル本体２の外周面に接着させる。この接着状態を示すのが、図３であり、図面から明らかのようにバルーン１は内側円筒状チューブ５の内周面がカテーテル本体２の外周面にシリコーン接着剤を介して全面接着されることとなる。また、バルーン１の両端部も接着部３，４により接着される。
【００１５】
カテーテル本体２の外周面に接着されたバルーン１は、前記のように内側円筒状チューブ５の内周面がカテーテル本体２の外周面にシリコーン接着剤を介して全面接着されるので、図４に示した従来の区画片３３のように狭い接着代しかないものに比べ、接着代をきわめて大きくとることができ、接着強度を高めることができる。しかも、この全面接着でも外側円筒状チューブ６の膨張に何らの影響を及ぼすものではない。したがって、従来のような接着強度不足による剥がれが起こらず、バルーン１の流体収容部８への流体容量も従前通りものを期待することができる。また、全面接着によりカテーテル本体２の外周面に接着されるので、必要によっては従来のような両端部の接着部３，４をなくすことも可能である。また、バルーン１の厚みについては、全体が薄いほど体内への挿入時の抵抗が少なくなるので、望ましい。尚、外側円筒状チューブ６の厚みは、膨張後に必要とされる強度等から制限を受けるが、内側円筒状チューブ５の厚みは、カテーテル本体２に全面接着されることで強度が保持できるので、非常に薄いものとすることができる。
【００１６】
前記実施の形態ではバルーン１として２分割タイプを示したが、３以上の分割タイプとしてもよいことは勿論である。また、材質もシリコーンゴムだけに限らず、生体に悪影響を与えない任意の材質のものを使用することができる。そのほか、細部の設計的な事項についても、特許請求の範囲に記載した事項を逸脱しない範囲で適宜変更、修正することができることは言うまでもない。
【図面の簡単な説明】
【００１７】
【図１】この発明の一実施の形態のバルーンを示す拡大縦断面図である。
【図２】図１のバルーンがカテーテル本体の先端部に装着された状態の医療用カテーテルの要部斜視図である。
【図３】図２の線Ａ−Ａに沿拡大縦断面図である。
【図４】従来のバルーンを示す、図３と対応する拡大縦断面図である。
【符号の説明】
【００１８】
１  バルーン
２  カテーテル本体
３，４  接着部
５  内側円筒状チューブ
６  外側円筒状チューブ
７  区画片
８  流体収容部
【図１】
2006026110.tif 000003
【図２】
2006026110.tif 000004
【図３】
2006026110.tif 000005
【図４】
2006026110.tif 000006